(57)【要約】本発明は、ポンプヘッドの下降動作によってだけ内容物が流出されるようにし、ポンプヘッドの上昇動作の際、排出案内部材の係止突起が供給開閉部材の係止片を変形させながら排出案内部材の係止突起の外周面に面接触して閉鎖するとともに、ポンプヘッドの下降及び上昇動作の際、開閉部材及び排出バルブがヘッドバルブ及び排出案内部材を開閉することにより、容器の倒立の際、内容物の逆流及び外部空気の流入を遮断して内容物の酸敗及び汚染と変質を防止することができる液体貯蔵容器のポンピング装置に関する。【選択図】なし
2012507452.tif 000002
【特許請求の範囲】
【請求項１】
内容物を貯蔵する容器に装着されたヘッドバルブの固定片に装着されて排出案内部材の下降及び上昇を案内し、排出案内部材の上昇の際、排出案内部材の下端部の加圧によって係止片が変形されるとともに排出案内部材の外周面に面接触して閉鎖する供給開閉部材と；
前記供給開閉部材の供給ホールに沿ってポンピングヘッドの加圧によって下降しながら供給開閉部材の内部の内容物がノズルに排出されるようにする排出案内部材と；
前記ヘッドバルブの固定片とポンピングヘッドの流出管に装着された排出案内部材に結合され、加圧力の解除された排出案内部材及びポンピングヘッドを復元させる復元部材とを含んでなることを特徴とする、液体貯蔵容器のポンピング装置。
【請求項２】
前記供給開閉部材は、
前記ヘッドバルブの固定片に装着される胴体と、前記胴体の内部に排出案内部材が移動できるように貫設された移動ホールと、前記移動ホールが備えられた胴体の端部に折曲形成され、排出案内部材の下端部が面接触するようにする係止片とを含んでなることを特徴とする、請求項１に記載の液体貯蔵容器のポンピング装置。
【請求項３】
前記係止片は変形及び復元可能な軟質で形成されることを特徴とする、請求項２に記載の液体貯蔵容器のポンピング装置。
【請求項４】
前記排出案内部材は、
前記供給開閉部材の移動ホールに下降及び上昇可能に装着され、下部が閉鎖され上部が開口された排出案内ホールと、前記排出案内ホールの下端部の外周面に貫設される排出案内孔と、前記排出案内ホールの下部に外向に傾くように突設された係止突起とを含んでなることを特徴とする、請求項１に記載の液体貯蔵容器のポンピング装置。
【請求項５】
前記ポンピングヘッドの加圧の際にだけ内容物が排出されるように排出案内部材の排出案内ホールを開閉する排出バルブをさらに含んでなることを特徴とする、請求項１に記載の液体貯蔵容器のポンピング装置。
【請求項６】
前記排出バルブは、
前記排出案内ホールを開閉する開閉板と、前記開閉板を収容し、ポンピングヘッドが遊動しないように加圧する縁部と、前記縁部と開閉板を連結する少なくとも一つ以上の弾性リブとを含んでなることを特徴とする、請求項５に記載の液体貯蔵容器のポンピング装置。
【請求項７】
前記開閉板の底面に、開閉板の昇降及び内容物の移動を案内する案内リブが突設されることを特徴とする、請求項６に記載の液体貯蔵容器のポンピング装置。
【請求項８】
前記ポンピングヘッドの加圧の際にだけ内容物が排出されるようにヘッドバルブのバルブホールを開閉する開閉バルブをさらに含んでなることを特徴とする、請求項１に記載の液体貯蔵容器のポンピング装置。
【請求項９】
前記開閉バルブは、
前記バルブホールを開閉する開閉板と、前記開閉板を収容し、供給開閉部材の胴体が遊動しないように加圧する縁部と、前記縁部と開閉板を連結する少なくとも一つ以上の弾性リブとを含んでなることを特徴とする、請求項８に記載の液体貯蔵容器のポンピング装置。
【請求項１０】
前記開閉板底面に、開閉板の昇降及び内容物の移動を案内する案内リブが突設されることを特徴とする、請求項９に記載の液体貯蔵容器のポンピング装置。
【発明の詳細な説明】
【技術分野】
【０００１】
本発明は液体貯蔵容器に係り、より詳しくはポンプヘッドの下降動作によってだけ内容物が流出されるようにし、容器の倒立の際、内容物の逆流を遮断するだけでなくシーリング状態を堅固に維持することで、空気による内容物の酸敗を防止することができる液体貯蔵容器のポンピング装置に関する。
【背景技術】
【０００２】
一般に、液体貯蔵容器は、ゲルまたはクリーム剤型の各種化粧品、洗浄剤、医薬品などのような内容物を充填して使用するもので、これは単純に内容物を収容する構造を持つ形態と、容器に備えられたボタンを押すことで、一定量の内容物が流出されるようにしたポンピング形態とに区分される。
【０００３】
前記ポンピング形態の液体貯蔵容器は、本出願人が２００４年大韓民国特許出願第３９１３１号として出願して大韓民国特許第５４５００７号で液体貯蔵容器のポンピング装置を登録受けたことがある。
【０００４】
戦術の登録の特許は、使用者によって加圧されるポンピングヘッドが下降してしわ管の内部空間を収縮させることにより上昇する圧力が下端バルブを閉めるとともに、上端バルブを開放させながら通過する内容物が流出管の内部の内容物とともにノズルを通じて外部に吐き出されるようにし、ポンピングヘッドの加圧力が解除されれば、しわ管の復元力によってポンピングヘッドが上昇することによりしわ管の内部空間が拡張して内部圧力が低下して上端バルブを閉めるとともに、下端バルブを開放させながら容器の内容物を吸入した後、待機状態に入る。
【０００５】
しかし、先述の登録の特許は、内容物の吐出のためのヘッド構造が単純でコンパクトであるため、比較的多量の内容物がそのまま外部空気に露出される場合が発生しないので、内容物の酸敗を防止することができる利点はあるが、容器の倒立の際、下端バルブと上端バルブが下端バルブホールと上端バルブホールを堅固に閉鎖させることができないので、容器内の内容物が下端バルブと上端バルブ及びポンピングヘッドを通じて外部に流出される問題点があり、前記内容物流出による経済的損失及び内容物が空気に露出されて汚染及び変質される問題点があった。
【先行技術文献】
【特許文献】
【０００６】
【特許文献１】大韓民国特許第５４５００７号
【発明の概要】
【発明が解決しようとする課題】
【０００７】
したがって、本発明は前述したような従来の諸般欠陥に鑑みてなされたもので、本発明の目的は、ポンプヘッドの下降動作によってだけ内容物が流出されるようにし、ポンプヘッドの上昇動作の際、排出案内部材の係止突起が供給開閉部材の係止片を変形させながら排出案内部材の係止突起の外周面に面接触するように閉鎖して外部空気の流入を遮断する液体貯蔵容器のポンピング装置を提供することにある。
【０００８】
また、本発明の他の目的は、ポンプヘッドの下降及び上昇動作の際、開閉部材及び排出バルブがヘッドバルブ及び排出案内部材を開閉することで、容器の倒立の際、内容物の逆流を遮断することができる液体貯蔵容器のポンピング装置を提供することにある。
【課題を解決するための手段】
【０００９】
本発明の液体貯蔵容器のポンピング装置は、
内容物を貯蔵する容器に装着されたヘッドバルブの固定片に装着されて排出案内部材の下降及び上昇を案内し、排出案内部材の上昇の際、排出案内部材の下端部の加圧によって係止片が変形されるとともに排出案内部材の外周面に面接触して閉鎖する供給開閉部材と
前記供給開閉部材の供給ホールに沿ってポンピングヘッドの加圧によって下降しながら供給開閉部材の内部の内容物がノズルに排出されるようにする排出案内部材と
前記ヘッドバルブの固定片とポンピングヘッドの流出管に装着された排出案内部材に結合され、加圧力の解除された排出案内部材及びポンピングヘッドを復元させる復元部材とを含んでなることを特徴とする。
【発明の効果】
【００１０】
本発明液体貯蔵容器のポンピング装置によれば、ポンプヘッドの下降動作によってだけ内容物が流出されるようにし、ポンプヘッドの上昇動作の際、排出案内部材の係止突起が供給開閉部材の係止片を変形させながら排出案内部材の係止突起の外周面に面接触して閉鎖するとともに、ポンプヘッドの下降及び上昇動作の際、開閉部材及び排出バルブがヘッドバルブ及び排出案内部材を開閉することで、容器の倒立の際、内容物の逆流及び外部空気の流入を遮断することにより、内容物の酸敗及び汚染と変質を防止するとともに安定に使用することができる利点を持つことができるものである。
【図面の簡単な説明】
【００１１】
【図１】本発明の分解斜視図である。
【図２】本発明の断面図である。
【図３】本発明の作動状態図である。
【図４】本発明の作動状態図である。
【発明を実施するための形態】
【００１２】
以下、添付図面に基づいて本発明の一実施例を詳細に説明する。図１は本発明の分離斜視図、図２は本発明の断面図である。
【００１３】
本発明の液体貯蔵容器のポンピング装置１００は、内容物を貯蔵する容器７０に装着されたヘッドバルブ１１０の固定片１１１に装着され、排出案内部材１４０の下降及び上昇を案内し、排出案内部材１４０の上昇の際、排出案内部材１４０の下端部の加圧によって係止片１３３が変形されるとともに排出案内部材１４０の外周面に面接触して閉鎖する供給開閉部材１３０と、前記供給開閉部材１３０の供給ホールに沿って、ポンピングヘッド１２０の加圧によって下降しながら供給開閉部材１３０の内部の内容物がノズル１２１に排出されるようにする排出案内部材１４０と、前記ヘッドバルブ１１０の固定片１１１と排出案内部材１４０に結合され、加圧力の解除された排出案内部材１４０及びポンピングヘッド１２０を復元させる復元部材１５０とを含んでなるもので、これをより具体的に説明すれば次のようである。
【００１４】
前記供給開閉部材１３０は、前記ヘッドバルブ１１０の固定片１１１に装着される胴体１３１と、前記胴体１３１の内部に排出案内部材１４０が移動するように貫設された移動ホール１３２と、前記移動ホール１３２が備えられる胴体１３１の端部に折曲され、排出案内部材１４０の下端部が面接触するようにする係止片１３３とを含んでなる。
【００１５】
前記係止片１３３は変形及び復元の可能な軟質で形成されることが好ましい。
【００１６】
前記排出案内部材１４０は、前記供給開閉部材１３０の移動ホール１３２に下降及び上昇可能に装着され、下部が閉鎖され上部が開口された排出案内ホール１４１と、前記排出案内ホール１４１の下端部の外周面に貫設された排出案内孔１４２と、前記排出案内ホール１４１の下部に外向に傾くように突出した係止突起１４３とを含んでなる。
【００１７】
また、前記ポンピングヘッド１２０の加圧の際にだけ内容物が排出されるように排出案内部材１４０の排出案内ホール１４１を開閉する排出バルブ１６０をさらに含んでなり、前記排出バルブ１６０は、前記排出案内ホール１４１を開閉する開閉板１６１と、前記開閉板１６１を収容し、ポンピングヘッド１２０が遊動しないように加圧する縁部１６２と、前記縁部１６２と開閉板１６１を連結する少なくとも一つ以上の弾性リブ１６３を含んでなる。
【００１８】
前記開閉板１６１の底面には、開閉板１６１の昇降及び内容物の移動を案内する案内リブ１６１’が突設されることが好ましい。
【００１９】
また、前記ポンピングヘッド１２０の加圧の際にだけ内容物が排出されるようにヘッドバルブ１１０のバルブホール１１２を開閉する開閉バルブ１７０をさらに含んでなり、前記開閉バルブ１７０は、前記バルブホール１１２を開閉する開閉板１７１と、前記開閉板１７１を収容し、供給開閉部材１３０の胴体１３１が遊動しないように加圧する縁部１７２と、前記縁部１７２と開閉板１７１を連結する少なくとも一つ以上の弾性リブ１７３とを含んでなる。
【００２０】
前記開閉板１７１の底面には開閉板１７１の昇降及び内容物の移動を案内する案内リブ１７１’が突設されることが好ましい。
【００２１】
前記容器７０の下端部の内面には、復元部材１５０によるポンピングヘッド１２０の上昇の際、大気圧を容器内の内容物に伝達して加圧するための通常のピストン（図示せず）が密着して構成されることが好ましい。
【００２２】
つぎに、前記のように構成された本発明の作動過程を説明する。
【００２３】
まず、使用者が容器７０の内容物を吐き出して使用するためにポンピングヘッド１２０を加圧すれば、図３に示すように、前記ポンピングヘッド１２０及びポンピングヘッド１２０の流出管１２２に結合された排出案内部材１４０が供給開閉部材１３０の移動ホール１３２に沿って復元部材１５０を圧縮させながら下降することにより、前記排出案内部材１４０の排出案内孔１４２が供給開閉部材１３０の胴体１３１と連通するようにする。
【００２４】
ここで、前記排出案内部材１４０の係止突起１４３は供給開閉部材１３０の係止片１３３から離脱すると同時に、前記係止片１３３は係止突起１４３の加圧によって変形された状態が自体復元力によって復元される。
【００２５】
この際、前記排出案内部材１４０が下降しながら、前記排出案内部材１４０とヘッドバルブ１１０の固定片１１１に結合された復元部材１５０を圧縮させるとともに前記復元部材１５０の内部圧力を上昇させることになり、高くなった圧力によって加圧される開閉バルブ１７０の開閉板１７１がヘッドバルブ１１０のバルブホール１１２を閉鎖させるが、前記排出案内部材１４０の係止突起１４４が開閉バルブ１７０の弾性リブ１７３を加圧することで、開閉板１７１がバルブホール１１２を閉鎖させることもできるものである。
【００２６】
前記開閉バルブ１７０は、前記供給開閉部材１３０の胴体１３１がヘッドバルブ１１０に定着された縁部１７２を加圧して遊動できなかい状態で、前記縁部１７２に弾性リブ１７３を介して連結された開閉板１７１が圧力によって下降してバルブホール１１２を閉鎖させる。この際、前記開閉板１７１の底面に突設された案内リブ１７１’がバルブホール１１２の内面に沿って下降しながら開閉板１７１の下降移動を案内することができるものである。
【００２７】
また、高くなった圧力によって、供給開閉部材１３０の胴体１３１の内部に位置する内容物は排出案内部材１４０の排出案内孔１４２を通じて排出案内ホール１４１に供給されるとともに、排出案内部材１４０の排出案内ホール１４１を開閉する排出バルブ１６０を加圧する。
【００２８】
前記排出バルブ１６０を加圧する内容物は、開閉板１６１の底面に放射状に突設された案内リブ１６１’の間を通って開閉板１６１を加圧するとともに、前記開閉板１６１は排出案内部材１４０に定着され、ポンピングヘッド１２０が遊動できないように加圧した縁部１６２に弾性リブ１６３を介して連結された状態で、前記開閉板１６１が弾性リブ１６３を変形させながら上昇移動して排出案内ホール１４１を開放することになる。
【００２９】
この際、前記開閉板１６１の底面に突設された案内リブ１６１’が排出案内ホール１４１の内面に沿って昇降して開閉板１６１の上昇移動を案内しながら排出案内ホール１４１を開放するとともに、開放された排出案内ホール１４１を通じて案内リブ１６１’の間を通過した内容物が排出案内部材１４０の外部に排出され、前記排出案内部材１４０から排出された内容物は流出管１２２に位置する内容物とともにノズル１２１を通じて吐き出されるので、吐き出される内容物を使用者が使用することができることになるものである。
【００３０】
前記内容物の吐出の後、ポンピングヘッド１２０に加わった加圧力を解除すれば、図４に示すように、復元部材１５０の復元力によって排出案内部材１４０とポンピングヘッド１２０を上昇させる。この際、前記排出案内部材１４０は供給開閉部材１３０の移動ホール１３２に沿って上昇し、排出案内部材１４０の排出案内孔１４２が供給開閉部材１３０の係止片１３３を通過することにより、連通が遮断される。
【００３１】
この際、前記復元部材１５０の復元によって空間が拡張するにつれて圧力が急激に下降し、このような圧力の下降によって排出バルブ１６０を下降移動させて排出案内部材１４０の排出案内ホール１４１を閉鎖させることになる。
【００３２】
ここで、前記排出案内部材１４０に定着された排出バルブ１６０の縁部１６２をポンピングヘッド１２０が加圧して遊動できないようにした状態なので、前記排出バルブ１６０の開閉板１６１が弾性リブ１６３を変形させながら下降移動して排出案内ホール１４１を閉鎖することにより、容器７０の倒立の際にも容器７０の内容物が逆流することを防止することができ、前記開閉板１６１の底面に突設された案内リブ１７１’が排出案内ホール１４２の内面に沿って下降しながら開閉板１６１の下降移動を案内することができるものである。
【００３３】
また、急激に下降する圧力が開閉バルブ１７０を引っぱってヘッドバルブ１１０のバルブホール１１２を開放させる。この際、前記開閉バルブ１７０の縁部１７２はヘッドバルブ１１０に定着された状態で供給開閉部材１３０の胴体１３１が加圧して遊動できないようにすることで、前記縁部１７２に弾性リブ１７３を介して連結された開閉板１７１が弾性リブ１７３を変形させながら上昇移動してバルブホール１１２を開放することになる。
【００３４】
この際、前記開閉板１７１の底面に突設された案内リブ１７１’がバルブホール１１２の内面に沿って昇降して開閉板１７１の上昇移動を案内しながらバルブホール１１２を開放するとともに、バルブホール１１２を通じて案内リブ１７１’の間を通過した容器７０内の内容物を供給開閉部材１３０の胴体１３１の内部に排出させる力として作用することになる。
【００３５】
一方、前記復元部材１５０の復元力によって上昇する前記排出案内部材１４０の係止突起１４３が係止片１３３の下端部を加圧して外向に変形させ、前記排出案内部材１４０の上昇によってポンピングヘッド１２０の端部がヘッドバルブ１１０の端部にかかって上昇動作を停止するとともに、係止突起１４３は係止片１３３に面接触して係止突起１４３と係止片１３３の間を閉鎖し、前記容器７０から排出され、開閉バルブ１７０を通じて供給開閉部材１３０の内部に供給された内容物は、以後の使用者のポンピングヘッド１２０の加圧の際、ノズル１２１を通じて外部に吐き出されることができるように待機状態に入ることになる。
【００３６】
また、前記復元部材１５０の復元力によってポンピングヘッド１２０が上昇する場合、容器内の内容物が流出して容器内部の圧力が下降するので、大気圧がピストンに伝達されるとともに、流出された内容物の体積の分だけピストンが上昇し、ポンピングヘッド１２０の加圧によって内容物が円滑にノズル１２１に吐き出されるようにするものである。
【００３７】
以上のように、本発明は、限定された実施例及び図面に基づいて説明されたが、本明細書及び請求範囲に使用された用語や単語は通常的または辞書的な意味に限定して解釈されてはいけなく、本発明の技術的思想に合う意味と概念に解釈されなければならない。よって、本明細書に記載した実施例と図面に示す構成は本発明の一実施例に過ぎないもので、本発明の技術的思想をすべて代表するものではないので、本発明の請求範囲を逸脱しない範囲内で多様な均等物と変形例が可能であることが理解可能であろう。
【符号の説明】
【００３８】
１００：ポンピング装置
１１０：ヘッドバルブ
１２０：ポンピングヘッド
１３０：供給開閉部材
１４０：排出案内部材
１５０：復元部材
１６０：排出バルブ
１７０：開閉バルブ
【図１】
2012507452.tif 000003
【図２】
2012507452.tif 000004
【図３】
2012507452.tif 000005
【図４】
2012507452.tif 000006
【国際調査報告】
2012507452.tif 000007
2012507452.tif 000008
2012507452.tif 000009
2012507452.tif 000010